(57)【要約】      （修正有）【課題】製造並びに運用が容易な、燃料改質材を充填し燃料タンクに内に挿入、設置する燃料改質器の容器を提供する。【解決手段】燃料タンク内に挿入、設置する燃料改質材を充填する容器を耐油性、耐摩耗性、防錆を有するポリエステル系モノフィラメントの網チューブで作成した１ａに燃料改質材を充填し、両端をリング付スリーブ２ａ,２ｂで圧着した。両端に直径2ｃｍの輪を作ってスリーブで圧着した直径１．２ｍｍ、長さ１ｍのワイヤーの片端３ａをリング付スリーブ２ａに結び付け、もう片端をリング付スリーブ２ｂに通しさらに、ワイヤー３ｂの長さを調整、固定するネオジウム磁石４、５に巻きつけで通したのち、輪３ｃの間を通して、燃料タンク外側に掛ける、大きさを自由に変えられる落ち込み防止用のフレキシブルな輪６を作成する。【選択図】図１
0003144674.tif 000002
【実用新案登録請求の範囲】
【請求項１】
燃料タンクの容量に応じて使用する燃料改質材の増減に、容易に対応出来るフレキシブルな素材を用い、製造、装着、脱着、設置、調整、交換が容易に出来る事を特徴とする燃料タンクに挿入、設置する燃料改質材を充填する容器。
【請求項２】
容器の両端に環状具を装着し、ワイヤー等を環状具に通し調節することにより燃料タンク内に容易に形状を変えて、コンパクトに設置することを特徴とする請求項１に記載の燃料改質材を充填する容器。
【請求項３】
複数の容器を使用する場合も、連結せずに、容器の両端に装着した環状具にワイヤー等を通し調整することにより、コンパクトに燃料タンク内に設置することを特徴とする請求項１又は２に記載の燃料改質材を充填する容器。
【請求項４】
容器に取り付けるワイヤー等に大きさを自由に変えることの出来るフレキシブルな輪を作ることにより、多様な形状の燃料タンクに取り付け、固定、調節が容易に対応出来ることを特徴とする請求項１又は２又は３に記載の燃料改質材を充填する容器。 
【請求項５】
容器に取り付けるワイヤー等に磁石を取り付けることにより、ワイヤー等の長さを自由に調節、固定し、燃料改質材を充填する容器の設置がよりコンパクトにフレキシブルに対応出来ることを特徴とする請求項１から４のいずれかに記載の燃料改質材を充填する容器。
【考案の詳細な説明】
【技術分野】
【０００１】
本考案は、ガソリン、軽油、重油、バイオ燃料などの液体燃料を使用する
車輌等の燃料タンク内に挿入、設置する燃料改質材を充填する容器で、燃料
タンクの容量に応じて使用する燃料改質材の容量の増減に容易に対応が可能
で、複数の容器を使用する時も連結を必要とせずに、多種多様な形状の燃料
タンクに装着、脱着、調整、交換が容易な燃料タンクに挿入、設置する燃料
改質材を充填する容器に関する。
【背景技術】
【０００２】
従来の燃料タンク内に挿入、設置する燃料改質材を充填する容器として、
円筒体や円筒体を連結した容器に燃料改質材を充填し容器本体にリング等を
介してチェーンを取り付け、蓋体の方のチェーンの先端にもリング等を取り
付け、蓋体に固定したもの（特許文献１）がある。
【０００３】
【特許文献１】実願平８―１０５６６号
【特許文献２】特願２００６―７２３１４号
【特許文献３】特願２００１―２２０６３９号
【０００４】
上記実用新案文献１の燃料改質器は、円筒体や円筒体を連結することにより
燃料タンクの容量に応じた燃料改質材を燃料タンク内に挿入、設置することが
可能であり、チェーン等を取り付け、燃料タンクキャップに固定することによ
って燃料タンクに落下することを防ぎ、容易に交換が可能なものであるが、燃
料改質材を多量に使用する場合には円筒体を多数連結することが必要な為、車
輌走行中に長く連結した円筒体が燃料タンク内で揺動し、燃料タンク内の燃料
計フロートや燃料吸入口に干渉して、正常な働きを妨げたり破損する可能性が
あった。さらに燃料タンクキャップの形状も多種にわたる為、そのままで固定
出来ない場合には取り付けに加工を要する場合があった。
【０００５】
上記の従来の燃料改質器とは別に円筒体を連結した容器に燃料改質材を充填
し、最上部の容器の上端にワイヤーを取り付け、ワイヤー先端に円状取り付け
具を固定したもの（特許文献２）がある。
【０００６】
上記特許文献２の燃料改質器も円筒体を連結することにより、燃料タンクの
容量に応じた燃料改質材を燃料タンク内に挿入、設置することが可能であるが
、多数連結した場合、実用新案文献１の燃料改質器と同じように、車輌走行時
に長く連結した円筒体が燃料タンク内で揺動し、燃料タンク内のフロートや燃
料吸入口に干渉して、正常な働きを妨げたり、破損する可能性があった。また
、ワイヤーの長さも調節出来ない為、ワイヤーが燃料タンク内のフロートに絡
まったりする可能性もある。さらに、ワイヤー先端に固定した円状取り付け具
の径がフレキシブルでない為、燃料キャップや他の所に取り付け固定する際に
、その都度加工を要する場合があった。
【０００７】
上記の従来の燃料改質器とは別にステンレス製の目の細かい網を幾重かに巻
いて筒状に厳重に溶接し、容器上端にステンレスチェーンを取り付け、さらに
直径４〜２０ｃｍの弾力性の高いステンレスワイヤーリングを取りつけて燃料
改質材を入れるための容器としたもの（特許文献３）がある。
【０００８】
上記文献３の燃料改質器の容器は、ステンレス製の目の細かい網を幾重かに巻
いて筒状に厳重に溶接して燃料改質器の容器にしている為、充填する燃料改質
材の量に応じて製作することが可能であるが、やはり多量に燃料改質材を充填
した場合、円柱形の容器の形状が容易にかえられないので全長が長くなる為、
容器が車輌走行時に燃料タンク内で揺動し、燃料タンク内のフロートや燃料吸
入に干渉して、正常な働きを妨げたり、破損する可能性があった。また、容器
上端に取り付けたステンレスチェーンやワイヤーの長さも調整出来ない為、ワ
イヤーが燃料タンク内のフロートに絡まったりする可能性もある。さらに、先
端のワイヤーリングも給油口及びパイプの太さによって必要なサイズが異なる
為、使用するサイズに応じて作成しなければならないので、手間とコストがか
かる。さらに、上記文献３の図４の10ａに示すトラック、バス、その他用の燃料
タンクのように、給油口内部に突起物のようなものがなく、ワイヤーリングの
取り付け固定が容易な構造では無い場合に、取り付けに加工を要したり、取り
付けが困難な場合があった。
【考案の開示】
【考案が解決しようとする課題】
【０００９】
従来の燃料改質器の容器は、燃焼効率を高める為、燃料改質材を多量に充填し
た場合、燃料タンク内に挿入する祭に給油口の内径より細く作成しなければな
らないので、その結果容器本体や連結した容器の全長が長くなり、設置後も燃
料タンク内のフロートや燃料吸入口に干渉し、正常な働きを妨げたり、絡まっ
たり、接触した祭に破損する可能性があるという問題点がある。
【００１０】
また上端に取り付けたチェーンやワイヤーの長さを容易に調節出来ない為、容
器本体やチェーン、ワイヤーが車輌走行時に燃料タンク内で揺動し、燃料タン
ク内のフロートや燃料吸入口に干渉して、正常な働きを妨げたり、絡まったり
、接触した祭に破損する可能性があるという問題点がある。
【００１１】
さらに燃料タンクや給油口の構造も車輌により多様な為、チェーンやワイヤー
リングを異なる燃料タンクの種類ごとに合わせて作成したり、取り付け、固定
が困難な場合や、その都度加工を必要とする場合があるため、手間とコストが
かかるという問題点がある。
【課題を解決するための手段】
【００１２】
本考案は上記の点に鑑みてなされたもので、その目的とするところは、燃料タ
ンクの容量に適した量の燃料改質材の増減に容易に対応が可能な容器を用い、
燃料改質材を多量に容器に充填し、容器全体の全長が長くなった場合や、容器
を複数使用する場合でも、燃料タンクの給油口より容易に挿入、設置が可能で、容
器全体が燃料タンク内のフロートや燃料吸入口に干渉することを防ぐ為、形状
を容易に変えられるような、耐油性、耐磨耗性のあるフレキシブルな素材を用
いた。また本体に取り付けたワイヤーが燃料タンク内のフロートや燃料吸入口
に干渉することを防ぐよう、かつ容器が走行中に揺動し、接触した祭にも破損
しないよう、長さの調節が可能かつ、ワイヤーやワイヤーリングの固定が、よ
り簡便かつフレキシブルに対応出来るものを、そして使用過程でワイヤーが破
損した場合でも交換が容易になるよう考案した。
【考案の効果】
【００１３】
本考案による燃料タンクに挿入、設置する燃料改質材を充填する容器は、燃料
タンクの容量に応じた燃料改質材の増減に容易に対応が可能なフレキシブルな
容器を用いた結果、手間やコストを抑えて製造することが出来き、低コストで
量産が可能になった。また、多量に燃料改質材を容器に充填しても、複数の容
器を使用した場合でも燃料タンクへの挿入が容易で、燃料タンク内に設置した
あとも、容器の形状がフレキシブルかつ全長を短くコンパクトに設置すること
が可能な為、燃料フロートや燃料吸入口に干渉することを防ぐことが可能になっ
た。さらに容器の装着、脱着が容易で、ワイヤーやワイヤーリングの構造もフ
レキシブルかつ取り付け、調整、固定が容易な構造にした為、どのような形状
の燃料タンクにも対応が可能になった。
【考案を実施するための最良の形態】
【００１４】
本考案による燃料タンクに挿入、設置する燃料改質材を充填する容器は、燃料
タンクの容量に応じた燃料改質材の増減に容易に対応が可能で、かつ燃料タン
クに挿入したあとも形状を容易に変えられる耐油性、耐磨耗性、防錆を有する
ポリエステル系モノフィラメントを使用した筒状の網を用い、燃料改質材充填
後、燃料改質材が容器の外に流出しないように、またワイヤー等を通し易いよ
うに、両端をリング付のスリーブ等で充分に圧着する。
【００１５】
本考案による燃料タンクに挿入、設置する燃料改質材を充填する容器の両端に
圧着したリング付スリーブの片端にワイヤーを取り付け、もう片端のリングの
間を通した。そしてワイヤーの長さを調整し、容器の形状をコンパクトに設置
、固定する為に磁石を取り付け、さらにそのワイヤーの先端には容器の落ち込
み等の防止の為に固定する、多様な形状に対応可能で大きさを自由に変えられ
るフレキシブルな輪を作成する。
【００１６】
本考案による燃料タンク内に挿入、設置する燃料改質材を充填する容器を複数
使用する場合は、両端のリング付スリーブに通すワイヤーを交互に通すことに
より、連結する場合のように全長が長くならない形状にすることが出来、また
燃料タンク内での形状も容易にコンパクトに設置することが出来る。
【００１７】
本考案による燃料タンク内に挿入、設置する燃料改質材を充填する容器に使用
するワイヤーは、両端に輪を作り、スリーブで固定した状態のものを使用する
為、リング等の固定具を使用する事ことなく簡単に取り付けが出来、ワイヤー
が破損した場合でも容易に交換が可能である。
【実施例】
【００１８】
以下本考案の実施例を図面により説明する。
図１に示すように、本考案による燃料タンク７内に挿入、設置する燃料改質材
を充填する容器を耐油性、耐摩耗性、防錆を有するポリエステル系モノフィラ
メントの網チューブで作成した１ａに燃料改質材を充填し、両端をリング付ス
リーブ２ａ,２ｂで圧着した。両端に直径2ｃｍの輪を作ってスリーブで圧着し
た直径１．２ｍｍ、長さ１ｍのワイヤーの片端３ａをリング付スリーブ２ａに
結び付け、もう片端をリング付スリーブ２ｂに通しさらに、ワイヤー３ｂの長
さを調整、固定するネオジウム磁石４、５に巻きつけで通したのち、輪３ｃの
間を通して、燃料タンク外側に掛ける、大きさを自由に変えられる落ち込み防
止用のフレキシブルな輪６を作成した。
【００１９】
図２に示すように、燃料改質材を充填する容器１ａを燃料タンク内７に挿入し
、容器が燃料タンク７底面に達したのち、ワイヤー３ｂを引っ張り、調整する
ことにより、両端のリング付スリーブの２ａ、２ｂが引き寄せられて、コンパ
クトに設置することが出来た。これにより、燃料タンク内での容器の揺動が抑
えられ、燃料フロートや燃料吸入口への干渉を防ぐことが可能になった。
【００２０】
図３に示すように、燃料タンク７内に燃料改質材を充填する容器１ａをワイヤ
ー３ｂを引っ張り調整して設置したのち、ワイヤー３ｂがずれて容器が揺動し
ないように磁石４を燃料タンクの給油を妨げない場所に固定した。
【００２１】
図４に示すように、燃料改質材を充填する容器１ａ、１ｂを複数使用する場合
は、ワイヤーの片端３ａをリング付スリーブ２ａに結びつけたのち、ワイヤー
３ｂをリング付スリーブ２ｃ、２ｂ、２ｄに交互に通すことによって、連結せ
ず、コンパクトに設置することが可能になった。
【００２２】
図５に示すように燃料改質器１ａ、１ｂを燃料タンク７内に挿入し、底面に設
置したのちワイヤー３ｂを引っ張り、調整することにより、両端のリング付ス
リーブ２a、２ｂ、２ｃ、２ｄが引き寄せられて、図２と同様にコンパクトに
設置することができた。また引っ張り、調整したワイヤー３ｂは図３と同様に
磁石４で固定した。
【００２３】
図６に示すように、磁石４によって調整、固定されたワイヤー３ｂが燃料タン
クの給油口８から出て、落ち込み防止用のフレキシブルな輪６を給油口８の外
側に掛け固定し、磁石５でワイヤーの余った長さを調節して固定した。
【図面の簡単な説明】
【００２４】
【図１】本考案に係る燃料改質材を充填する容器の全体図
【図２】本考案に係る燃料改質材を充填し、燃料タンク内にコンパクトに設置したことを表す図
【図３】本考案に係る燃料改質材を充填する容器を燃料タンク内にコンパクトに設置した後、ワイヤーを給油口内側に固定したことを表す図
【図４】本考案に係る燃料改質材を充填する容器を複数使用した場合の使用例を表す図
【図５】本考案に係る燃料改質材を充填する容器を複数使用し、燃料タンク内にコンパクトに設置した場合の使用例を表す図
【図６】本考案に係る燃料改質材を充填する容器の落ち込み防止のワイヤーを燃料給油口に掛け、ワイヤーを固定したことを表す図
【符号の説明】
【００２５】
１ａ    容器
１ｂ    容器
２ａ    リング付スリーブ
２ｂ    リング付スリーブ    
２ｃ    リング付スリーブ
２ｂ    リング付スリーブ
３ａ    スリーブで固定したワイヤーの輪
３ｂ    ワイヤー  
３ｃ    スリーブで固定したワイヤーの輪
４      磁石
５      磁石
６      落ち込み防止用のワイヤーの輪
７      燃料タンクの側面及び断面図
８      給油口
【図１】
0003144674.tif 000003
【図２】
0003144674.tif 000004
【図３】
0003144674.tif 000005
【図４】
0003144674.tif 000006
【図５】
0003144674.tif 000007
【図６】
0003144674.tif 000008
【手続補正書】
【提出日】平成20年7月2日(2008.7.2)
【手続補正１】
【補正対象書類名】実用新案登録請求の範囲
【補正対象項目名】全文
【補正方法】変更
【補正の内容】
【実用新案登録請求の範囲】
【請求項１】
容器の両端に環状具を装着し、ワイヤー等を環状具に通し調節することにより燃料タンク内に容易に形状を変えて、コンパクトに設置することを特徴とする燃料改質材を充填する容器。
【請求項２】
複数の容器を使用する場合も、連結せずに、容器の両端に装着した環状具にワイヤー等を通し調整することにより、コンパクトに燃料タンク内に設置することを特徴とする請求項１に記載の燃料改質材を充填する容器。
【請求項３】
容器に取り付けるワイヤー等に大きさを自由に変えることの出来るフレキシブルな輪を作ることにより、多様な形状の燃料タンクに取り付け、固定、調節が容易に対応出来ることを特徴とする請求項１又は２に記載の燃料改質材を充填する容器。
【請求項４】
容器に取り付けるワイヤー等に磁石を取り付けることにより、ワイヤー等の長さを自由に調節、固定し、燃料改質材を充填する容器の設置がよりコンパクトにフレキシブルに対応出来ることを特徴とする請求項１から３にいずれかに記載の燃料改質材を充填する容器。